(57)【要約】【課題】衛生的であり着衣部から異臭を発することもなく衣服の汚損を確実に防止でき、繊維質吸収体を繰返し使用できるとともに低コストで製造でき、小型でかさばらず携帯に便利であり、排尿器官の先端部を容易に繊維質吸収体に直接接触させて痛み等の不快感なく残尿処理ができる残尿吸収具を提供する。【解決手段】開口部３ａの側壁５の一部を切欠いて切欠６を形成した浅い容器本体３と、一辺部がヒンジ部１１を介して容器本体３に回動自在に連結され開口部３ａと切欠６を開閉する蓋１０とを有する、携帯可能な大きさの容器２と、容器本体３に挿脱可能に収容されこの収容状態において頂面部１８ａが切欠６の底部６ａより上方に位置する厚さの繊維質吸収体１８とを、具備した。【選択図】      図１
2004147898.tif 000002
【特許請求の範囲】
【請求項１】
開口部の側壁の一部を切欠いて切欠を形成した浅い容器本体と、一辺部がヒンジ部を介して前記容器本体に回動自在に連結され前記開口部と前記切欠を開閉する蓋とを有する、携帯可能な大きさの容器と、前記容器本体に挿脱可能に収容されこの収容状態において頂面部が前記切欠の底部より上方に位置する厚さの繊維質吸収体とを、具備したことを特徴とする残尿吸収具。
【請求項２】
浅い容器本体と、一辺部がヒンジ部を介して前記容器本体に回動自在に連結され前記容器本体の開口部を開閉する蓋とを有する、携帯可能な大きさの容器と、前記容器本体に挿脱可能に収容されこの収容状態において頂面部が前記容器本体の側壁上縁部より上方に位置する厚さの繊維質吸収体とを、具備したことを特徴とする残尿吸収具。
【請求項３】
浅い箱形の容器本体と、一辺部がヒンジ部を介して前記容器本体に回動自在に連結され前記容器本体の開口部を開閉する蓋とを有する、携帯可能な大きさの容器と、前記容器本体に挿脱可能に収容されこの収容状態において頂面部が前記容器本体の側壁上縁部より上方に位置する厚さの吸収体本体と、この吸収体本体の一辺部に連設され前記ヒンジ部の内側を経て前記蓋内に挿脱可能に収容される薄片部とから成る繊維質吸収体とを、具備したことを特徴とする残尿吸収具。
【請求項４】
把持部の一端部側に支軸を突設した容器本体と、前記把持部に着脱自在に嵌着され前記支軸を包囲する筒状の蓋とを有する、携帯可能な大きさの容器と、前記支軸の差込みにより該支軸に着脱可能に装着されこの装着状態において前記蓋内にすきまをもって収容される棒状の繊維質吸収体とを、具備したことを特徴とする残尿吸収具。
【請求項５】
前記繊維質吸収体が、高吸水性繊維及び／または高吸水性ポリマーを付着した通常繊維を含有する請求項１または２または３または４記載の残尿吸収具。
【請求項６】
前記繊維質吸収体に機能性粒子を保持させてある請求項１または２または３または４または５記載の残尿吸収具。
【請求項７】
紐体の基端を前記容器本体に取付け、前記紐体の先端にクリップを取付けて携帯可能にした請求項１または２または３または４または５または６記載の残尿吸収具。
【請求項８】
ベルトに差込んで掛着させるためのクリップばねを、前記容器本体に取付けて携帯可能にした請求項１または２または３または５または６記載の残尿吸収具。
【発明の詳細な説明】
【０００１】
【発明の属する技術分野】
この発明は、男性の排尿時における残尿を吸収する吸収具に関する。
【０００２】
【従来の技術】
一般に男性の排尿時には、排尿終了時点で排尿器官（陰部）の先端部に滴状等に付着しあるいは排尿器官内に残留後漏出する尿（この発明ではこれらを残尿という）が、下着やズボンに付着して汚損し、特にズボンではこの汚損が蓄積されてクリーニング困難なシミとなり、不衛生であるうえ外観上も見苦しい。
【０００３】
そこでこのシミ対策として、ズボンの股部付近の内側に吸水性を有するシート状の吸水片を取付け、残尿がズボンに到達するのを阻止するようにしたものが提案されている（例えば、特許文献１及び２参照。）。
【０００４】
【特許文献１】
実用新案登録第３０１７０８９号公報（第１−５頁、図１，図２）
【特許文献２】
特開平９ー１９４５０号公報（第１−２頁、図１−図１２）
【０００５】
ところが上記吸水片は、交換する迄の間、該吸水片が尿を吸収した状態のままでズボンを着用し続けるため、不衛生であり異臭を発するうえ、吸水片の範囲外に滴下した尿によるズボンの汚れは防止できず、また下着側にも吸水片を取付けない限りは下着の汚れも防止できない。
【０００６】
また排尿後に残尿を払拭・始末するものとして、水解性シートあるいは水溶性シート等を加工して摘み部と吸水部とを連設・一体化したものを、摘み部を摘んで使用後、小便器や汚物入れ等に捨てるようにした男性用衛生用品、及び使用前・使用後の男性用衛生用品収容用の男性用衛生用具（携帯用台紙）が提案されている（例えば、特許文献３参照。）。
【０００７】
【特許文献３】
特開２０００−２２５０７０号公報（第１−８頁、図１−図１２）
【０００８】
ところが上記の男性用衛生用品は、摘み部と吸水部を有する加工に手間がかかる特殊形状品を１回の残尿処理毎に使い捨てるものであるため不経済であるうえ、外出時には多数個の男性用衛生用品を携帯せねばならず煩雑である。また上記の男性用衛生用具は、大型でかさばる携帯用台紙を携行して複数の小ポケットから順次取出した男性用衛生用品により残尿を払拭後、使用済みの男性用衛生用品を多数個、回収用ポケット内に装入せねばならず、取扱いが極めて煩雑であるという欠点を有するうえ、回収ポケット内から異臭が発生するという問題点も有するものである。
【０００９】
またこの使い捨て式の残尿処理器具としては、耐水紙等で構成されたカップ状の本体の底部に吸収材料を備えたカップ状器具がある（例えば、特許文献４参照。）。
【００１０】
【特許文献４】
実用新案登録第３０８３４２１号公報（第１−４頁、図１−図６）
【００１１】
ところが上記のカップ状器具は使い捨て式で不経済であるうえ、残尿処理時に排尿器官の先端部を本体内に挿入せねばならず、このとき本体の開口縁部に排尿器官の先端部が接触・当接して痛み等不快感を与えたり該先端部の皮膚を傷付けたりするという、大きな問題点を有するものである。
【００１２】
【発明が解決しようとする課題】
この発明は上記従来の問題点を解決しようとするもので、衛生的であり着衣部から異臭を発することもなく衣服の汚損を確実に防止でき、繊維質吸収体を繰返し使用できるので経済的であるとともに構造が簡潔で低コストで製造でき、小型でかさばらず携帯に便利であり、排尿器官の先端部を容易に繊維質吸収体に直接接触させて痛み等の不快感なく残尿処理ができる残尿吸収具を提供することを目的とする。
【００１３】
【課題を解決するための手段】
上記目的を達成するために、請求項１記載の残尿吸収具は、開口部の側壁の一部を切欠いて切欠を形成した浅い容器本体と、一辺部がヒンジ部を介して前記容器本体に回動自在に連結され前記開口部と前記切欠を開閉する蓋とを有する、携帯可能な大きさの容器と、前記容器本体に挿脱可能に収容されこの収容状態において頂面部が前記切欠の底部より上方に位置する厚さの繊維質吸収体とを、具備したことを特徴とする。
【００１４】
また請求項２記載の残尿吸収具は、浅い容器本体と、一辺部がヒンジ部を介して前記容器本体に回動自在に連結され前記容器本体の開口部を開閉する蓋とを有する、携帯可能な大きさの容器と、前記容器本体に挿脱可能に収容されこの収容状態において頂面部が前記容器本体の側壁上縁部より上方に位置する厚さの繊維質吸収体とを、具備したことを特徴とする。
【００１５】
また請求項３記載の残尿吸収具は、浅い箱形の容器本体と、一辺部がヒンジ部を介して前記容器本体に回動自在に連結され前記容器本体の開口部を開閉する蓋とを有する、携帯可能な大きさの容器と、前記容器本体に挿脱可能に収容されこの収容状態において頂面部が前記容器本体の側壁上縁部より上方に位置する厚さの吸収体本体と、この吸収体本体の一辺部に連設され前記ヒンジ部の内側を経て前記蓋内に挿脱可能に収容される薄片部とから成る繊維質吸収体とを、具備したことを特徴とする。
【００１６】
また請求項４記載の残尿吸収具は、把持部の一端部側に支軸を突設した容器本体と、前記把持部に着脱自在に嵌着され前記支軸を包囲する筒状の蓋とを有する、携帯可能な大きさの容器と、前記支軸の差込みにより該支軸に着脱可能に装着されこの装着状態において前記蓋内にすきまをもって収容される棒状の繊維質吸収体とを、具備したことを特徴とする。
【００１７】
この発明において「上」側とは、容器本体の底部を下側にしたときの反対側、すなわち容器本体の開口方向側を指すものとする。
【００１８】
請求項１〜４記載の残尿吸収具の使用時には、容器の蓋を開けて、この容器内の繊維質吸収体の頂面部（請求項１〜３記載の発明の場合）または外周面部（請求項４記載の発明の場合）に、排尿直後の排尿器官（陰部）の先端部を当接させて残尿を繊維質吸収体により吸収させたのち、蓋を閉じる。これによって、排尿器官の先端部に付着しあるいは先端部内に残留していた残尿が吸収除去され、排尿器官は清潔な状態に維持されズボンや下着の汚損が防止される。閉蓋状態の容器はそのまま携帯して次回の排尿時にも同様にして使用し、尿吸収量が所定量に達した時点で（たとえば１日毎に）、新しい繊維質吸収体と交換することにより、尿吸収力を維持できる。
【００１９】
これに加えて、請求項１記載の残尿吸収具においては、容器の蓋を開けたとき、容器本体の切欠部においては繊維質吸収体の上部側面部を包囲する側壁がないため、この切欠部側から排尿器官の先端部を繊維質吸収体の頂面部に臨ませるようにすれば、上記先端部が容器本体の側壁上縁部に触れることがなく、不快感なく残尿の吸収処理をおこなうことができる。
【００２０】
また請求項２，３記載の残尿吸収具においては、容器の蓋を開けたとき、繊維質吸収体の頂面は容器本体の側壁上縁部より上方に位置するため、排尿器官の先端部を側壁上縁部に触れることなく繊維質吸収体の頂面部に直接接触させることができ、不快感なく残尿の吸収処理をおこなうことができ、さらにこれに加えて請求項３記載の残尿吸収具においては、蓋の裏面も繊維質吸収体の薄片部により覆われているため、蓋の開きが不充分な場合でも排尿器官の先端部が蓋の裏面に直接接触するのが防止される。
【００２１】
また請求項４記載の残尿吸収具においては、容器の蓋を開けたとき、棒状の繊維質吸収体の外周面が全面露出するため、排尿器官の先端部を容器本体の把持部に触れることなく繊維質吸収体の外周面部に直接接触させることができ、不快感なく且つ把持部の手指操作により容易に残尿の吸収処理をおこなうことができる。
【００２２】
この発明においては、繊維質吸収体としてはたとえば綿，麻，ビスコースレーヨン，キュプラ，アセテートなどの吸水性を有する繊維から成るものも使用できるが、請求項５記載の発明のように、前記繊維質吸収体が、高吸水性繊維及び／または高吸水性ポリマーを付着した通常繊維を含有する構成とすれば、少量の繊維質吸収体により大きな水（尿）吸収力が得られるので、繊維質吸収体、従って容器全体を薄型化することができ、携帯に特にかさばらない残尿吸収具が得られる。
【００２３】
この発明において繊維質吸収体は、吸水力向上のための上記高吸水性ポリマーの粒子以外には格別の保持材料なしに、使用することもできるが、請求項６記載の発明のように、前記繊維質吸収体に機能性粒子を保持させてある構成とすれば、脱臭性，抗菌性等の機能を有する機能性粒子の保持により、開蓋時における異臭発生が防止され、また容器内が清潔な状態に保たれ、快適に残尿処理をおこなうことができる。
【００２４】
またこの発明においては、残尿吸収具はそのままズボンのポケット等に入れて携帯してもよいが、請求項７記載の発明のように、紐体の基端を前記容器本体に取付け、前記紐体の先端にクリップを取付けて携帯可能にした構成とすれば、クリップをズボンのベルト通しなどに挟着し残尿処理具をポケットに入れて携帯することにより、残尿吸収具を紛失したり使用する際に取落したりするのが防止される。また請求項８記載の発明のように、ベルトに差込んで掛着させるためのクリップばねを、前記容器本体に取付けて携帯可能にした構成とすれば、クリップばね部をベルトに掛着することにより、残尿吸収具を所定位置に確実に保持して紛失することなく携帯でき、また使用時にはベルトからクリップばね部を引抜くことにより簡単に取外して残尿吸収をおこなうことができ、吸収処理後のベルトへの掛着も迅速容易におこなえる。
【００２５】
【発明の実施の形態】
以下図１〜図３に示す第１例により、この発明の実施の形態を説明する。図中１は残尿吸収具で、たとえばマッチ箱〜煙草箱程度の外形寸法を有する携帯可能な大きさの容器２と、この容器２内に収容される繊維質吸収体１８とを具備している。容器２は、上向きに開口する開口部３ａを有する浅い箱形の容器本体３と蓋１０とから成り、容器本体３の底板４の四周部に連設され開口部３ａを包囲する側壁５のうち、前側の側壁５ａには、その上部を台形状に切欠いた切欠６が形成されている。
【００２６】
蓋１０は、その一辺部がヒンジ部１１を介して容器本体３の後側の側壁５ｂの上部に回動自在に連結され、閉蓋時に側壁５の上端部に当接する縁部材１２に、該閉蓋時に上記切欠６に嵌合してこの切欠６を閉鎖する舌状片１３を突設して成る。図３に示すように、この舌状片１３の先端部には、内向きに突出する係止突条１４が突設してあり、また容器本体３の切欠６の底部６ａには、上記係止突条１４が係脱自在に係止する係合溝１５が設けてあり、この係止突条１４と係合溝１５により、蓋１０を閉蓋状態に保持する係合部１６が形成されている。
【００２７】
容器本体３と蓋１０とを接続するヒンジ部１１の下側には、後述の紐体１９の基端を接続するための穴７をそなえた取付耳８が容器本体３の後側の側壁５ｂの外面部に突設され、これら各部は、容器本体３及び蓋１０と共にプラスチックにより一体成形されている。
【００２８】
また繊維質吸収体１８は、容器本体３（詳しくはその開口部３ａ内）に挿脱可能に収容されるものであり、容器本体３の内法寸法よりやや大きい長さ及び巾寸法と、容器本体３の深さＨ寸法（図２参照）とほぼ同じ厚さを有し、この収容状態において繊維質吸収体１８の頂面部１８ａは、切欠６の底部６ａより上方に（かつ、この例では容器本体３の側壁５の上端部付近に）位置するものである。
【００２９】
上記繊維質吸収体１８は、たとえば綿，麻，ビスコースレーヨン，キュプラ，アセテートなどの吸水性を有する繊維（吸水性繊維）から成るウエブ，編織物あるいは不織布等の繊維集合体で構成してもよいが、高吸水性繊維及び／または高吸水性ポリマーを付着した通常繊維から成る繊維集合体で構成するのが望ましく、これによって大きな吸水力が得られるので、繊維質吸収体１８を薄型化して容器２をたとえば厚さ１０ｍｍ程度に薄型化でき、かさばらず携帯に便利な残尿吸収具が得られる。上記通常繊維としては、上記吸水性繊維、あるいはアクリル繊維，ナイロン繊維，ポリエステル繊維等の非吸水性繊維が用いられる。
【００３０】
上記高吸水性繊維としては、たとえばアクリル系高吸水性ポリマー繊維（特表平８−５００３９９号）、高吸水性ポリマー粉末を混合した熱可塑性繊維（特開２００１−３０３４４４号）、加水分解されたアクリル繊維またはカルボキシルメチル化及び架橋処理されたセルロース繊維（特開平７−１５５５９４号）、カルボン酸含有モノマーとヒドロキシル基またはアミノ基含有モノマーとカルボン酸アルカリ金属塩含有モノマーとからなる架橋共重合体の繊維（特開平６−２２０７５８号）、イソブチレンと無水マレイン酸との共重合体繊維（特表２００２−５１７５６２号、特許第３１０１７６９号）、スチレンまたはエチレンまたはイソブチレンと無水マレイン酸との共重合体繊維（特許第２７０９７０８号）、架橋カルボキシメチルセルロース等を用いることができる。なおこの高吸水性繊維は、上記通常繊維などの他種類の繊維と混合して繊維集合体を構成してもよい。
【００３１】
また上記高吸水性ポリマーとしては、たとえば架橋ポリアクリル酸塩類系、イソブチレン−マレイン酸共重合体系、デンプン−ポリアクリル酸塩類系、架橋ポリビニルアルコール系、架橋カルボキシメチルセルロース系等の各種高吸水性ポリマーを用いることができ、この高水性ポリマーは通常粉末の形で上記繊維に付着・保持させて用いるが、上記繊維表面に上記高吸水性ポリマーの被膜を形成させてもよい。
【００３２】
また上記繊維質吸収体１８には、脱臭性、抗菌性等の機能を有する機能性粒子を保持させておくのが好ましく、この機能性粒子としては、たとえば活性炭粉末、シリカゲル粉末、酸化チタン光触媒粉末、ヒドロキシアパタイト粉末、活性アルミナ粉末、茶葉細粉などのカテキン含有粉末を用いることができる。上記機能性粒子としてたとえば酸化チタン光触媒粉末を用いると、光触媒による尿の悪臭成分の分解・除去作用によって、後述の開蓋時における尿を吸収した繊維質吸収体からの異臭発生が防止され、また光触媒による抗菌・抗カビ作用により容器２内は常に清潔な状態に保たれ、快適に残尿処理をおこなうことができるのである。なおこの機能性粒子の繊維質吸収体１８への保持は、上記各粉末の水溶液の吹付あるいは水溶液中への浸漬後の繊維質吸収体の乾燥処理など、各種の工法によりおこなえる。
【００３３】
また前述の取付耳８に基端部を取付けられた紐体１９は、携帯電話用のストラップと同様な先端にクリップ２０をそなえたものであり、このクリップ２０をズボンのベルト通しなどに取付けた状態で、残尿吸収具１をズボンのポケットに入れて携帯することにより、残尿吸収具１を紛失したり後述の残尿吸収時に取落したりするのが防止される。
【００３４】
上記構成の残尿吸収具１を使用するには、先ず排尿時には図２に示すように蓋１０を開けて容器本体３部を片手で保持し、排尿直後の排尿器官（陰部）の先端部を、切欠６側（容器本体３の前側）から矢印Ｆで示すように繊維質吸収体１８の頂面部１８ａに押付けて、上記先端部付近の尿を繊維質吸収体１８により吸収させ、さらに好ましくは他方の手で排尿器官を矢印Ｆ方向にしごくことにより、排尿器官内の残尿の漏出を促進させて繊維質吸収体１８に吸収させる。このとき上記切欠６においては繊維質吸収体１８の上部側面部を包囲する前側の側壁５ａがなく、上記上部側面部が露出しているので、排尿器官の先端部は上記側壁５ａの上縁に触れることがなく、不快感なく残尿の吸収をおこなうことができるのである。
【００３５】
上記の吸収操作によって、排尿器官は先端部付近の残尿が除去された状態でズボン及び下着内に収納することができ、衛生的でありズボンや下着の汚損が確実に防止されるとともに、衣服を通して残尿に起因する異臭が発生することもない。残尿吸収後の残尿吸収具１は、蓋１０を閉じてズボンのポケットに入れておき、次回の排尿時には上記と同様な操作をおこなって、前回の残尿吸収済みの繊維質吸収体１８によりさらに新たな残尿の吸収処理をおこなう。
【００３６】
このとき開閉操作を繰返しておこなう蓋１０は、回動式でヒンジ部１１を有して容器本体３に一体に接続されているので、残尿吸収処理時及び後述の繊維質吸収体１８の交換時等に、蓋１０を取落したり紛失したりすることがない。また残尿吸収処理後蓋１０を閉じると、蓋１０は係合部１６により閉蓋状態に保持され、携帯中の不必要な開蓋が防止されて衛生的である。
【００３７】
その後、たとえば１日分など、所定回数の排尿吸収処理後、蓋１０を開いてこの吸収済みの繊維質吸収体１８を開口部３ａから取出し、新たな繊維質吸収体１８を容器本体３内に挿入して次回以降の残尿吸収に備える。
【００３８】
次に図４〜図６に示す第２例の残尿吸収具２１は、前記第１例に比べて容器本体３の構造及びその付属品が異なるだけで、その他の構成は第１例の残尿吸収具と同じであるので、図１〜図３と同一または相当部分には同一符号を付して図示して、それらの部分の詳細な説明及び共通の使用方法についての説明は省略し、以下他の例においても同様とする。
【００３９】
すなわちこの残尿吸収具２１では、前記第１例における容器本体３に突設した取付耳８及びこれに取付けた紐体１９を省略して、かわりに容器本体３の底板４の外面に、クリップばね２２の基部２２ａを底板４との一体成形により固着し、その先端寄りの挟圧片部２２ｂを底板４の外面に少量の隙間をもって対向させてある。
【００４０】
この残尿吸収具２１の携帯時には、クリップばね２２の挟圧片部２２ｂと容器本体３の底板４との間の隙間に、ズボンのベルト２３を差し込んで残尿吸収具２１をベルト２３に掛着させる。これによって残尿吸収具２１を紛失することなく携帯でき、またベルト２３からクリップばね２２部が離脱する方向へ残尿吸収具２１を引抜くことにより、残尿吸収具２１をベルト２３から取外して蓋１０を開ければ、直ちに残尿吸収処理が可能な状態とすることができる。
【００４１】
次に図７及び図８に示す第３例の残尿吸収具３１は、前記第１例に比べて容器本体３２部の構造及び繊維質吸収体１８の頂面部１８ａの位置が異なるだけで、その他の構成は第１例の残尿吸収具と同じである。
【００４２】
すなわちこの例の残尿吸収具３１の容器３２は、前記第１例における切欠６のない浅い箱形の容器本体３３と、前記舌状片１３のない蓋３４とから成り、この蓋３４は、容器本体３３にヒンジ部１１を介して回動自在に連結されている。３６は蓋３４の先端面部に一体成形により突設した引掛片で、蓋３４を手指で開くときの引掛操作片として機能するとともに、その内面側には係止突条３７が突設され、容器本体３３の側壁３５の前面部には上記係止突条３７が係脱自在に係合する係合溝３８が設けてあり、この係止突条３７と係合溝３８により、蓋３４を閉蓋状態に保持する係合部３９が形成されている。
【００４３】
容器本体３３（詳しくはその開口部３３ａ内）に収容される繊維質吸収体１８は、材質及び長さと巾寸法は前記第１例と同じであるが、容器本体３３に収容されたときその頂面部１８ａが、容器本体３３の側壁３５の上縁部より所定の高さｈ（たとえば１〜数ｍｍ）だけ上方に位置するように、その厚さが選定されている。
【００４４】
この残尿吸収具３１は図８に示すように蓋３４を開けて容器本体３３部を片手で保持し、前記第１例の場合と同様にして残尿吸収処理をおこなうのであるが、このとき繊維質吸収体１８の頂面部１８ａは容器本体３３の側壁３５の上縁部より上方に位置するため、排尿器官（陰部）の先端部を側壁３５の上縁部に触れることなく繊維質吸収体１８の頂面部１８ａに直接接触させることができ、不快感なく残尿の吸収処理をおこなうことができるのである。また蓋３４の閉蓋時には、係合部３９により蓋３４は閉蓋状態に保持され、携帯中の不必要な開蓋が防止されて衛生的である。
【００４５】
次に図９〜図１１に示す第４例の残尿吸収具４１は、前記第３例に比べて繊維質吸収体４３の形状が異なるだけで、その他の構成は第３例の残尿吸収具と同じである。
【００４６】
すなわちこの例の繊維質吸収体４３は、図１１に示すように、第３例の繊維質吸収体１８と同形状の吸収体本体４４の一辺部の上部側面部に、蓋３４内に挿脱される薄片部４５を一体に連設して成る。
【００４７】
この繊維質吸収体４３の容器３２内への収容状態は図９及び図１０に示す通りであり、吸収体本体４４の頂面部４４ａは容器本体３３の側壁３５の上縁よりｈだけ上方に位置するとともに、薄片部４５はヒンジ部１１の内側を通って蓋３４内に収容される。
【００４８】
この残尿吸収具４１による残尿吸収処理時には、繊維質吸収体４３の吸収体本体４４の頂面部４４ａが容器本体３３の側壁３５の上縁部より上方に位置しているので、前記第３例と同様に排尿器官の先端部を側壁３５の上縁部に触れることなく繊維質吸収体４３の吸収体本体４４の頂面部４４ａに直接接触させることができるのに加えて、蓋３４の裏面も繊維質吸収体４３の薄片部４５により覆われているので、蓋３４の開きが不充分な場合等においても排尿器官の先端部が蓋３４の裏面に直接接触するのを防止でき、不快感なく残尿吸収処理をおこなうことができるのである。
【００４９】
次に図１２に示す第５例の残尿吸収具５１は、前記第３例に比べて容器５２及び繊維質吸収体５６の形状が異なるだけで、その他の構成は第３例の残尿吸収具と同じである。
【００５０】
すなわちこの残尿吸収具の容器５２は、扁平な短円柱状（あるいは円板状）の外形を有し、平面形状が円形の浅い容器本体５３と蓋５４の一側部をヒンジ部１１により回動自在に連結して成る。容器本体５３（詳しくはその開口部５３ａ内）に収容される繊維質吸収体５６は円板状を呈し、容器本体５３に収容されたときその頂面部５６ａは容器本体５３の側壁５５の上縁よりｈだけ上方に位置する。
【００５１】
この例の残尿吸収具５１の使用法は前記第３例と同様であり、繊維質吸収体５６の頂面部５６ａは容器本体５３の側壁５５の上縁部より上方に位置するため、第３例と同様に排尿器官の先端部を側壁５５の上縁部に触れることなく繊維質吸収体５６の頂面部５６ａに直接接触させて残尿の吸収処理をおこなうことができる。
【００５２】
上記各例の残尿吸収具においては、容器２，３２，５２は、いずれもプラスチックの一体成形により容易に製作でき、部品点数も少ないので、製造費が安価で済むとともに、尿により腐食されて損傷する金属部品を用いていないので、長期にわたって支障なく使用できる。
【００５３】
次に図１３〜図１５に示す第６例の残尿吸収具６１は、衣服のポケットなどに入る携帯可能な大きさの丸棒状を呈し、容器６２及び繊維質吸収体７５の形状及び構造が前記各例とは異なるが、紐体１９及びその取付構造等は前記各例と同じであり、図１〜図３と同一又は相当部分には同一符号を付して図示してある。
【００５４】
図中、６３は容器本体で、指先で把持できる直径１５ｍｍ程度の短円柱状の把持部６４の一端部６４ａ側に、支軸６５を突設し、他端部６４ｂ側に紐体１９取付用の取付耳８を、側面部に別の紐６６取付用の取付耳６７を、それぞれ突設したプラスチックの成形品から成る。
【００５５】
７１は支軸６５部を包囲する筒状の蓋で、その頂部に前記紐６６の他端部取付用の取付耳７２を突設し、その基端部内径側に係止突条７３を突設したプラスチックの成形品から成る。容器本体６３の把持部６４の外周面には上記係止突条７３が係脱自在に嵌合する係合溝６８が設けてあり、この係止突条７３と係合溝６８により、蓋７１を閉鎖状態に保持する係合部６９が形成されている。
【００５６】
繊維質吸収体７５は、前記各例と同じ材質のものであるが、丸棒状を呈し、図１５に示すようにその基端部７５ａに開口する細孔７６（切込みでもよい）を中心部にそなえ、この細孔７６に前記容器本体６３の支軸６５を差込むことにより、支軸６５に着脱可能に装着され、この装着状態において繊維質吸収体７５は、容器本体６３に嵌着された図１４に鎖線で示す閉蓋状態の蓋７１内に、すきまをもって収容される外径寸法を有するものである。６５ａは支軸６５の先端部に形成した拡径部で、繊維質吸収体７５の抜止め用のものであるが、繊維質吸収体７５の弾性等によっては、省略することもできる。
【００５７】
上記構成の残尿吸収具６１を使用するには、排尿時には図１４に示すように蓋７１を開けて把持部６４を片手の指先で把持して、支軸６５に支持されている繊維質吸収体７５の外周面（先端面を含む）部を、排尿直後の排尿器官（陰部）の先端部に押付けて、この先端部付近の尿を繊維質吸収体７５により吸収させる。繊維質吸収体７５は外周面部が全長にわたって露出しているので、排尿器官の先端部を把持部６４に触れさせることなく、把持部６４の手指操作により残尿の吸収を容易におこなうことができる。
【００５８】
このとき蓋７１は紐６６により容器本体６３に連結されているので、開蓋状態の蓋７１を取落したり紛失したりするのが防止されるが、この紐６６の付設を省略して、開蓋状態の蓋７１を把持部６４の把持とは別の指で把持しつつ残尿の吸収処理をおこなうようにしてもよく、この場合は残尿吸収具６１の構造は一層簡潔なものとなる。
【００５９】
残尿吸収後は、蓋７１を容器本体６３に嵌着して閉蓋状態として、衣服のポケット等に入れて携帯し、排尿吸収を所定回数繰返したのち、支軸６５への抜差しにより繊維質吸収体７５を新品に交換して、前記各例と同様に次回以降の残尿吸収に備える。このとき閉蓋状態の蓋７１は、前記各例と同様に係合部６９により閉蓋状態に保持され、携帯中の不必要な開蓋が防止されて衛生的である。
【００６０】
この例の残尿吸収具６１においても、容器本体６３及び蓋７１はプラスチックの成形により容易に製作でき、部品点数も少ないので、製造費が安価で済むとともに、尿により腐食されて損傷する金属部品を用いていないので、長期にわたって支障なく使用できるのである。
【００６１】
この発明は上記各例に限定されるものではなく、たとえば容器や切欠６及び舌状片１３の形状、容器本体と蓋との係合部の構造などは、上記以外のものとしてもよい。また容器は、紙製あるいは金属製など、プラスチック以外の材料で構成してもよい。また第１例における切欠６は、図１６に示すように容器本体３の曲面部に設けてもよいし、蓋１０に設ける舌状片１３は、同図に示すように切欠６部を外側から覆うものとしてもよい。また第３例〜第５例の容器本体に第２例のクリップばね２２を取付けて、残尿吸収具をズボンのベルトに掛着して携帯するようにしてもよい。
【００６２】
【発明の効果】
以上説明したように請求項１〜４記載の発明によれば、排尿直後の繊維質吸収体による残尿の吸収操作により、排尿器官はその先端部の残尿が吸収除去されて清潔な状態に維持され、衛生的であり着衣部からの異臭の発生もなく、衣服の汚損も確実に防止でき、繊維質吸収体は繰返して使用できるので経済的であるとともに容器部の構造が簡潔で低コストで製造でき、小型でかさばらず携帯に便利な残尿吸収具が得られる。また排尿器官の先端部を容器の側壁上縁部（請求項１〜３記載の発明の場合）や把持部（請求項４記載の発明の場合）に触れることなく繊維質吸収体に直接接触させて、痛み等の不快感なく残尿の吸収処理をおこなうことができる。
【００６３】
また上記の効果に加えて、請求項３記載の発明によれば、蓋の裏面も繊維質吸収体の薄片部により覆われているため、蓋の開きが不充分な場合でも排尿器官の先端部が蓋の裏面に直接接触するのが防止され、さらに快適に残尿処理をおこなうことができる。
【００６４】
また上記の効果に加えて、請求項５記載の発明によれば、高吸水性繊維及び／または高吸水性ポリマーを付着した通常繊維により、大きな水（尿）吸収力が得られるので、繊維質吸収体、従って容器全体を薄型化することができ、携帯に特にかさばらない残尿吸収具が得られる。
【００６５】
また上記の効果に加えて、請求項６記載の発明によれば、脱臭性，抗菌性等の機能を有する機能性粒子を保持させることにより、開蓋時における異臭発生が防止され、また容器内が清潔な状態に保たれ、快適に残尿処理をおこなうことができる。
【００６６】
また上記の効果に加えて、請求項７記載の発明によれば、紐体に取付けたクリップをズボンのベルト通しなどに挟着し残尿処理具をポケットに入れて携帯することにより、残尿吸収具を紛失したり使用する際に取落したりするのが防止され、また請求項８記載の発明によれば、クリップばね部をベルトに掛着することにより、残尿吸収具を所定位置に確実に保持して紛失することなく携帯できる。
【図面の簡単な説明】
【図１】この発明の実施の形態の第１例を示す残尿吸収具の開蓋状態の斜視図である。
【図２】図１の残尿吸収具の縦断面図である。
【図３】図１の残尿吸収具の閉蓋状態の部分拡大断面図である。
【図４】この発明の実施の形態の第２例を示す残尿吸収具の側面図である。
【図５】図４の残尿吸収具の後側から見た斜視図である。
【図６】図４の残尿吸収具をベルトに装着した状態を示す斜視図である。
【図７】この発明の実施の形態の第３例を示す図１相当図である。
【図８】図７の残尿吸収具の縦断面図である。
【図９】この発明の実施の形態の第４例を示す図１相当図である。
【図１０】図９の残尿吸収具の縦断面図である。
【図１１】図９における繊維質吸収体の斜視図である。
【図１２】この発明の実施の形態の第５例を示す図１相当図である。
【図１３】この発明の実施の形態の第６例を示す閉蓋状態の残尿吸収具の斜視図である。
【図１４】図１３の残尿吸収具の開蓋状態の縦断面図である。
【図１５】図１４における繊維質吸収体の支軸への装着前の状態の縦断面図である。
【図１６】この発明の実施の形態の他の例を示す容器の斜視図である。
【符号の説明】
１…残尿吸収具、２…容器、３…容器本体、３ａ…開口部、５…側壁、６…切欠、６ａ…底部、１０…蓋、１１…ヒンジ部、１３…舌状片、１８…繊維質吸収体、１８ａ…頂面部、１９…紐体、２０…クリップ、２１…残尿吸収具、２２…クリップばね、３１…残尿吸収具、３２…容器、３３…容器本体、３３ａ…開口部、３４…蓋、３５…側壁、４１…残尿吸収具、４３…繊維質吸収体、４４…吸収体本体、４４ａ…頂面部、４５…薄片部、５１…残尿吸収具、５２…容器、５３…容器本体、５３ａ…開口部、５４…蓋、５５…側壁、５６…繊維質吸収体、５６ａ…頂面部、６１…残尿吸収具、６２…容器、６３…容器本体、６４…把持部、６４ａ…一端部、６５…支軸、７１…蓋、７５…繊維質吸収体。
【図１】
2004147898.tif 000003
【図２】
2004147898.tif 000004
【図３】
2004147898.tif 000005
【図４】
2004147898.tif 000006
【図５】
2004147898.tif 000007
【図６】
2004147898.tif 000008
【図７】
2004147898.tif 000009
【図８】
2004147898.tif 000010
【図９】
2004147898.tif 000011
【図１０】
2004147898.tif 000012
【図１１】
2004147898.tif 000013
【図１２】
2004147898.tif 000014
【図１３】
2004147898.tif 000015
【図１４】
2004147898.tif 000016
【図１５】
2004147898.tif 000017
【図１６】
2004147898.tif 000018